(57)【要約】【課題】編集中の画面または画像に対し、別フォルダに入っている画像を合成するたびに、合成させたい画像のアドレスまたは部品の名称を入力または選択する動作は非常に効率が悪いといった問題を解決する。【解決手段】記憶部を有するコンピュータと、コンピュータに接続された表示部と、を用いた画像編集方法であって、記憶部から第１の画像データを読み出し、表示部に表示された画像編集ウインドウ内に第１の画像として表示させるステップと、第１の画像に対し、画像の合成を行う第２の画像データを画像編集ウインドウ内においてアイコンとして表示させるステップと、画像編集ウインドウ内において、アイコンがアイコン選択手段により選択されると、アイコンを第２の画像として表示させて、第１の画像と第２の画像とを合成するステップと、を有する構成とした。【選択図】図２
2006331400.tif 000002
【特許請求の範囲】
【請求項１】
記憶部を有するコンピュータと、前記コンピュータに接続された表示部と、を用いた画像編集方法であって、
前記記憶部から第１の画像データを読み出し、前記表示部に表示された画像編集ウインドウ内に第１の画像として表示させるステップと、
前記第１の画像に対し、画像の合成を行う第２の画像データを前記画像編集ウインドウ内においてアイコンとして表示させるステップと、
前記画像編集ウインドウ内において、前記アイコンがアイコン選択手段により選択されると、前記アイコンを第２の画像として表示させて、前記第１の画像と前記第２の画像とを合成するステップと、を有することを特徴とする画像編集方法。
【請求項２】
記憶部を有するコンピュータと、前記コンピュータに接続された表示部と、を用いた画像編集方法であって、
前記記憶部から第１の画像データを読み出し、前記表示部に表示された画像編集ウインドウ内に第１の画像として表示させるステップと、
前記画像編集ウインドウ内に表示された前記第１の画像に対し、画像の合成を行う第２の画像データのファイル名またはフォルダが選択されるステップと、
前記第２の画像データを前記画像編集ウインドウ内においてアイコンとして表示させるステップと、
前記画像編集ウインドウ内において、前記アイコンがアイコン選択手段により選択されると、前記アイコンを第２の画像として表示させて、前記第１の画像と前記第２の画像とを合成するステップと、を有することを特徴とする画像編集方法。
【請求項３】
記憶部を有するコンピュータと、前記コンピュータに接続された表示部と、を用いた画像編集方法であって、
前記表示部に表示された画像編集ウインドウ内において表示された画像を第１の画像と第２の画像に分割するステップと、
前記画像編集ウインドウ内に表示された第２の画像をアイコン化して前記画像編集ウインドウ内に表示させるステップと、
前記アイコン化により前記画像編集ウインドウ内に表示されたアイコンがアイコン選択手段により選択され、前記記憶部に前記アイコンを記憶するステップと、を有することを特徴とする画像編集方法。
【請求項４】
請求項１乃至請求項３のいずれか一において、前記第１の画像及び第２の画像は、文字情報を含むことを特徴とする画像編集方法。
【請求項５】
請求項１乃至請求項４のいずれか一において、前記アイコンは前記第２の画像を縮小したものであることを特徴とする画像編集方法。
【請求項６】
請求項１乃至請求項５のいずれか一において、前記アイコンは前記画像編集ウインドウ内の任意の場所にアイコン化することを特徴とする画像編集方法。
【請求項７】
請求項１乃至請求項６のいずれか一において、前記アイコンは前記画像編集ウインドウ内において、前記第２の画像のファイル名の表示を行うことを特徴とする画像編集方法。
【請求項８】
請求項１乃至請求項７のいずれか一において、前記アイコン選択手段は、前記表示部に表示されたカーソルであることを特徴とする画像編集方法。
【請求項９】
請求項８において、前記カーソルは、前記コンピュータに接続されたマウス、またはキーボードにより操作されることを特徴とする画像編集方法。
【発明の詳細な説明】
【技術分野】
【０００１】
本発明は、画面内に存在する２次元図形等のオブジェクトをアイコン化し表示させる情報処理装置、及び画像編集方法に関する。特にＣｏｍｐｕｔｅｒ  Ａｉｄｅｄ  Ｄｅｓｉｇｎ（ＣＡＤ）において、合成させたい部品を合成させたい部品の形のままでアイコン化し、表示させることで、簡単かつ確実に、利用することができるようにした情報処理装置、及び画像編集方法に関する。
【０００２】
なお、本明細書、本発明においてアイコン化とは、画像を編集するためのウインドウ内（画像編集ウインドウ）において、編集する画像を、縮小して表示した画像、またはデフォルメした画像、または記号化した画像として、表示することをいう。また本発明において、アイコンとは、画像を編集するためのウインドウ内において、編集する画像を、縮小して表示した画像、またはデフォルメされた画像、又は記号化された画像として、表示された図形のことを言う。そしてアイコンをマウス等で選択することによって、編集する画像がウインドウ内に表示される。
【背景技術】
【０００３】
近年、コンピュータを利用した画像編集が盛んに行われている。特にＣＡＤシステムは、図形の設計、各種図面の設計を簡単に作成、利用することができるため、広く用いられている（例えば、特許文献１参照）。
【０００４】
図４に、表示筐体４０１、コンピュータ４０２、キーボード４０３、マウス４０４を示す。表示筐体４０１とコンピュータ４０２、コンピュータ４０２とマウス４０４、コンピュータ４０２とキーボード４０３はそれぞれ接続されている。また表示筐体４０１は表示部４０５を有し、画像編集ウインドウ（作業領域）４０６、マウスカーソル４０７、２次元図形（オブジェクト）４０８、ツールバー４０９が表示されている。また、コンピュータは内部に画像情報等を記憶するための記憶部４１０（メモリ部）を有する。
【０００５】
図５は図４における表示部４０５の画像編集ウインドウ４０６にて、編集中の画面または編集中の画像（第１の画像）に別のフォルダに入っている画像（第２の画像）を合成する方法について順に説明する。図５に、画像編集ウインドウ５０１、マウスカーソル５０２、２次元図形（第１の画像）５０３、ツールバー５０４を示す。
【０００６】
以下、図５（Ａ）〜（Ｄ）を用いて、画像編集ウインドウ内において、編集中の画像に別のフォルダに入っている画像を合成する方法について説明する。
【０００７】
まず図５（Ａ）において、画像編集ウインドウ内の編集中の画像に別のフォルダに入っている画像を合成する場合、マウス４０４またはキーボード４０３を用いてツールバー５０４を選択する。選択されたツールバーにおいて、画像を合成するまたは画像の読み出しためのコマンドを選択する。
【０００８】
次に図５（Ｂ）において、新たに表示された合成させたい画像を選択するサブウインドウ５０５に、キーボード４０３またはマウス４０４を使って、合成させたい部品のアドレスまたは部品の名称を入力または選択する。
【０００９】
次に図５（Ｃ）において、表示された合成させたい画像が表示される。そして、合成させたい画像についてマウスカーソル５０２を使って合成する画像を選択し、マウスカーソル５０２を用いて第１の画像が表示された画像編集ウインドウ内の任意の場所に移動することで、図５（Ｄ）のように第１の画像と第２の画像の合成が完了する。
【００１０】
図６に従来の画像を合成する際のフローチャート図である。図６のステップＳ６０１で、コンピュータは記憶部より第１の画像の画像データの読み出しを行う（図５（Ａ）参照）。図６のステップＳ６０２で、表示されたサブウインドウにおいて、第２の画像の画像データのファイル名の入力、又はフォルダの選択をおこなう（図５（Ｂ））。図６のステップＳ６０３で、画像編集ウインドウ内に第２の画像を表示する。そして図６のステップＳ６０４で、マウス等を使って表示部に表示されたマウスポインタを操作し、任意の場所に移動させる（図５（Ｃ））ことで、画像の編集は完了する（図５（Ｄ））。
【００１１】
【特許文献１】特開２００３−９１５６２号公報
【発明の開示】
【発明が解決しようとする課題】
【００１２】
しかし、編集中の画像に別フォルダに入っている画像を合成するたびに、ツールバー５０４を選択し、新たに表示されたサブウインドウ５０５に、合成させたい画像データのアドレスまたは部品の名称をキーボード４０３またはマウス４０４を使い、入力または選択する動作（図６参照）は面倒である。また、画像を合成するたびに合成させたい画像を選択し、マウスカーソル５０２を使い任意の場所にドロップすることで合成する方法を実行していると非常に効率が悪い。
【００１３】
また、従来の画像編集方法では別フォルダに入っている画像は、保存されている場所もしくは画像名でしか表示されておらず、実際にどの様な形の画像であるか判断出来ず作業効率が悪い上に作業ミスも起こりやすい。
【００１４】
このように、従来の画像編集方法では多くの作業時間がとられる。また、画像編集ウインドウ内において、合成させたい画像がどの様な形の画像であるか判断出来ず作業ミスが起こりすい事などから、作業効率が非常に悪い。
【００１５】
本発明は上述の諸問題を鑑みて案出されたものであり、上記問題を解決する画像編集方法を提供するものである。
【課題を解決するための手段】
【００１６】
本発明の画像編集方法の一は、記憶部を有するコンピュータと、コンピュータに接続された表示部と、を用いた画像編集方法であって、記憶部から第１の画像データを読み出し、表示部に表示された画像編集ウインドウ内に第１の画像として表示させるステップと、第１の画像に対し、画像の合成を行う第２の画像データを画像編集ウインドウ内においてアイコンとして表示させるステップと、画像編集ウインドウ内において、アイコンがアイコン選択手段により選択されると、アイコンを第２の画像として表示させて、第１の画像と第２の画像とを合成するステップと、を有する構成とした。
【００１７】
さらに別の本発明の画像編集方法の一は、記憶部を有するコンピュータと、コンピュータに接続された表示部と、を用いた画像編集方法であって、記憶部から第１の画像データを読み出し、表示部に表示された画像編集ウインドウ内に第１の画像として表示させるステップと、画像編集ウインドウ内に表示された第１の画像に対し、画像の合成を行う第２の画像データのファイル名またはフォルダが選択されるステップと、第２の画像データを画像編集ウインドウ内においてアイコンとして表示させるステップと、画像編集ウインドウ内において、アイコンがアイコン選択手段により選択されると、アイコンを第２の画像として表示させて、第１の画像と第２の画像とを合成するステップと、を有する構成とした。
【００１８】
さらに別の本発明の画像編集方法の一は、記憶部を有するコンピュータと、コンピュータに接続された表示部と、を用いた画像編集方法であって、表示部に表示された画像編集ウインドウ内において表示された画像を第１の画像と第２の画像に分割するステップと、画像編集ウインドウ内に表示された第２の画像をアイコン化して画像編集ウインドウ内に表示させるステップと、アイコン化により画像編集ウインドウ内に表示されたアイコンがアイコン選択手段により選択され、記憶部にアイコンを記憶するステップと、を有する構成とした。
【００１９】
また本発明の第１の画像及び第２の画像は、文字情報を含むものであってもよい。
【００２０】
また本発明のアイコンは、第２の画像を縮小したものであってもよい。
【００２１】
また本発明のアイコンは、画像編集ウインドウ内の任意の場所にアイコン化するものであってもよい。
【００２２】
また本発明のアイコンは、画像編集ウインドウ内において、第２の画像のファイル名の表示を行うものであってもよい。
【００２３】
また本発明のアイコン選択手段は、表示部に表示されたカーソルであってもよい。
【００２４】
また本発明のカーソルは、コンピュータに接続されたマウス、またはキーボードにより操作されるものであってもよい。
【発明の効果】
【００２５】
本発明は、編集中の画像に別のフォルダに入っている画像を合成する場合、別のフォルダに入っている画像をアイコン化して画像編集ウインドウ内に表示することにより、作業時間の短縮が出来る。
【００２６】
また本発明は、別のフォルダに入っている画像をアイコン化することによって、どの様な形の画像情報であるか判断することができ、作業ミスを少なくすることができる。
【発明を実施するための最良の形態】
【００２７】
以下、本発明の実施の態様について、図面を参照して説明する。但し、本発明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。なお、以下に示す図面において、同一部分又は同様な機能を有する部分には同一の符号を付し、その繰り返しの説明は省略する。
【００２８】
なお、本明細書、本発明においてアイコン化とは、画像を編集するためのウインドウ内（画像編集ウインドウ）において、編集する画像を、縮小して表示した画像、またはデフォルメした画像、または記号化した画像として、表示することをいう。また本発明において、アイコンとは、画像を編集するためのウインドウ内において、編集する画像を、縮小して表示した画像、またはデフォルメされた画像、又は記号化された画像として、表示された図形のことを言う。そしてアイコンをマウス等で選択することによって、編集する画像がウインドウ内に表示される。
【００２９】
なお、本明細書、本発明において画像とは、表示部に表示された画像編集ウインドウ内に表示される２次元図形のことをいう。また、画像編集ウインドウ内において画像が複数ある場合には、第１の画像、第２の画像というように呼ぶものとする。
【００３０】
（実施の形態１）
本発明の実施の形態について詳述する。図１はコンピュータ周辺機器、及び作業画面についての模式図である。
【００３１】
図１に、表示筐体１０１、コンピュータ１０２、キーボード１０３、マウス１０４を示す。表示筐体１０１とコンピュータ１０２、コンピュータ１０２とマウス１０４、コンピュータ１０２とキーボード１０３はそれぞれ接続されている。また表示筐体１０１は表示部１０５を有し、画像編集ウインドウ（作業領域、編集画面、またはウインドウともいう）１０６、マウスカーソル１０７（単にカーソルともいう）、２次元図形（画像、またはオブジェクトともいう）１０８、ツールバー１０９が表示されている。また、コンピュータ１０２は内部に画像情報等を記憶するための記憶部１１０（メモリ部）を有する。
【００３２】
次に、図２は図１における表示部１０５の画像編集ウインドウ１０６にて、画像を合成する方法について順に説明する。図２においては、画像編集ウインドウ２０１、マウスカーソル２０２、２次元図形（第１の画像）２０３、ツールバー２０４、コマンドウインドウ２０５である。
【００３３】
以下、図２（Ａ）〜（Ｆ）を用いて、本発明の画像編集方法について詳述する。
【００３４】
まず図２（Ａ）において、画像編集ウインドウ内の編集中の第１の画像に、別のフォルダに入っている第２の画像を合成する場合、マウスまたはキーボードを用いてツールバー２０４を選択する。選択されたツールバーにおいて、画像を合成する、または画像の読み出すためのコマンドを選択する。
【００３５】
次に図２（Ｂ）において、新たに表示された合成させたい第２の画像のデータを選択するサブウインドウ２０６に、キーボード１０３またはマウス１０４を使って、合成させたい部品のアドレスまたは部品の名称を入力または選択する。
【００３６】
次に図２（Ｃ）において、合成させたい第２の画像のアイコン２０７が表示される。読み出された画像のアイコン化は自動的に行われる。ユーザー（操作者）はアイコンを視認することによって、読み出された画像データが第２の画像であることを確認することができる。
【００３７】
なお、読み出された第２の画像データは、画像編集ウインドウ内において、アイコン化と同時に表示部の画像編集ウインドウ内に第２の画像として表示されていてもよい。アイコン化と同時に自動的に画像編集ウインドウ内に第２の画像として表示することによって、再度アイコンを選択して、第２の画像を表示する必要がないため、ユーザーは画像編集における作業時間を短縮することができるため好適である。
【００３８】
なお、第２の画像のアイコンは、画像データの量によって、アイコンの大きさが設定されていてもよい。たとえば、より高精細な描写の画像においては、通常のアイコンサイズより大きく設定し、また、合成する画像によっては、予めユーザーの設定によりアイコンのサイズを設定していてもよい。高精細な画像を大きなサイズのアイコンとしてアイコン化することで、視認性がよく、またアイコン化前の画像がどのような画像かが一目で判断できるため好適である。
【００３９】
次に図２（Ｄ）のように、合成させたい画像についてマウスカーソル２０２を使って、合成させたい画像のアイコンを選択することによって、第２の画像を画像編集ウインドウ内に表示する。このとき予め画像編集ウインドウ内に表示してある第１の画像の画像サイズに合わせて、合成する第２の画像の表示サイズをユーザーが調整することによって、ユーザーが画像編集における作業時間を短縮することができる。
【００４０】
次に図２（Ｅ）にように、合成する第２の画像を選択し、マウスカーソルを用いて第１の画像が表示された画像編集ウインドウ内の任意の場所に移動することで、図２（ｆ）のように第１の画像と第２の画像の合成が完了する。
【００４１】
本発明のように予め合成するための画像をアイコン化することによって、ユーザーは再度同じ第２の画像を選択する際に、図２（ａ）の動作に戻って行う必要がない。ユーザーは再度同じ第２の画像を選択する際には、画像編集ウインドウ内の目的のアイコンを選択して、再度第２の画像の編集を行うことで目的を達成することができる。
【００４２】
なお、本実施の形態においては、アイコンを選択するための手段としてマウスカーソル、マウスカーソルを操作するための手段としてマウスを例示したが、本発明はこれに限定されない。本実施の形態においてアイコンを選択するための手段であるマウスカーソルを単にカーソルと呼称し、カーソルを操作するための手段としてキーボード、コントローラや他のカーソル操作手段であってもよい。またはＰＤＡなどの個人情報端末におけるペンタブレット方式の場合においては、カーソルを介さず直接ペンでアイコンを選択するものであってもよい。
【００４３】
また、画像編集ウインドウ内で画像の編集に用いる画像を画像編集ウインドウ内に複数アイコン化してもよい。複数の画像がアイコン化され、ユーザーが画像編集の際に画像編集に用いる画像のアイコンを適宜状況によって選択することによって、画像編集における作業時間を短縮することができ、好適である。
【００４４】
また、本発明のアイコンは、画像編集ウインドウ内において、ユーザーが指定した任意の場所にアイコン化して表示されているものであってもよい。また、自動的に画像編集ウインドウ内の一部にアイコン化されるものであってもよい。
【００４５】
また、アイコンの形状は、本実施の形態に例示した形状に限らないことを付記する。
【００４６】
また本発明は画像の他にアイコン化と同時に合成する画像データのファイル名を文字データとしてアイコンの一部に表示していてもよい。アイコン化と同時に画像データのファイル名を同時に表示することによって、合成する画像データ間において、類似する画像の誤認を防止することができ好適である。
【００４７】
また、本発明の合成するため画像のアイコンは、画像を縮小したものであればよい。画像を縮小したアイコンを用いることによって、ユーザーが画像を編集する際に画像を誤認することなく、画像の編集を行うことができる。画像の縮小については、画像データのサンプリング周波数を小さくしてサンプリングを行えばよい。つまり表示する画像の画素を間引いて表示を行えばよい。例えばアイコン化により、１／ｎに縮小して画像を表示する場合、縮小画像が表示される画素の画像データは、縮小画像以外の画像が表示される画素の画像データと同じ速度で記憶部より読み出され、縮小画像が表示される画素の画像データのみを駆動回路にてｎ画素ごとにサンプリングして表示を行えばよい。また、表示される画像データに基づいてアイコンの画像をコンピュータに記憶させておいても良い。
【００４８】
また、本発明の画像編集方法において、第１の画像及び第２の画像は動画情報を含むものであってもよい。また文字情報を含んでいてもよい。
【００４９】
図３に本発明の画像編集方法のフローチャート図を示す。図３のステップＳ３０１で、コンピュータは記憶部より、第１の画像の画像データの読み出しを行う（図２（Ａ）参照）。図３のステップＳ３０２で、表示されたサブウインドウにおいて、合成するための第２の画像のファイル名の入力、又はフォルダが選択される（図２（Ｂ）参照）。図３のステップＳ３０３で、合成させる第２の画像を画像編集ウインドウにアイコン化して表示させる（図２（Ｃ）参照）。図３のステップＳ３０４で、画像編集ウインドウにおいて、表示されているアイコンが表示部に表示されたマウスポインタで選択される（図２（Ｄ）参照）。図３のステップＳ３０５で、合成するための第２の画像を、画像編集ウインドウ内に表示させる。そして図３のステップＳ３０６で、画像編集ウインドウ内に表示された第１の画像及び第２の画像をマウスが操作されることにより動作するマウスポインタにより、画像の合成を行うための画像編集ウインドウ内の任意の場所に移動させる（図２（Ｅ）参照）ことで画像編集をおこなう（図２（Ｆ）参照）。
【００５０】
さらに、合成された第１の画像及び第２の画像に再度第２の画像の画像データを選択し編集を行う際には、画像編集ウインドウ内に表示されたアイコンを選択することによって画像の編集を引き続き行うことができる。もちろん、第２の画像とは別の画像を画像編集ウインドウ内で合成する場合には、画像編集ウインドウ内に表示された別のアイコンを選択して第１の画像及び第２の画像の編集を行うこともできる。
【００５１】
本発明の画像編集方法は特に複数の編集するための画像を画像編集ウインドウ上にアイコン化して表示し、複数のアイコンから編集するための画像に対応するアイコンを選択することによって編集する画像データを読み出す際に特に有用である。アイコンを視認することによって、類似のフォルダ名の誤認を防ぎ、作業ミスの低減を図ることができる。
【００５２】
従来は、図６に示す通り、第２の画像を再度合成する際には、サブウインドウから画像データを読み出す必要があった。しかしながら本実施の形態における本発明の画像編集方法によると、画像編集ウインドウ１０６に合成させたい画像自身の形でアイコン化させることで、そこから画像データを読み出し、編集を行うことができるため、ユーザーは作業効率の向上、また作業ミスの低減を実現することができる。
【００５３】
（実施の形態２）
本発明の別の実施の形態について詳述する。本発明の画像編集方法においては、既に表示されている画像を加工して分割した画像についてアイコン化し、保存することで再度画像を編集する際に読み出すことによって画像編集における効率を高める方法について詳述する。
【００５４】
本実施の形態における画像編集方法における画像編集ウインドウの外のコンピュータ周辺機器、及び作業画面については図１と同様であるのでここでは省略する。本実施例において必要であれば、図１における説明を援用するものとする。
【００５５】
図７は図１における表示部１０５の画像編集ウインドウ１０６にて、画像を分割しアイコン化する方法について順に説明する。図７においては、画像編集ウインドウ７０１、マウスカーソル７０２、２次元図形（オブジェクト）７０３、ツールバー７０４である。
【００５６】
以下、図７（Ａ）〜（Ｆ）を用いて、本発明の画像編集方法について詳述する。
【００５７】
まず図７（Ａ）において、画像編集ウインドウ内の２次元図形（オブジェクト）７０３をマウスカーソル等で、図７（Ｂ）に示すように、第１の画像７０５、第２の画像７０６に分割して加工する。勿論２次元図形（オブジェクト）をさらに複数の画像に分割してもよい。また、２次元図形（オブジェクト）を拡大や縮小してから、分割して加工してもよい。また２次元図形（オブジェクト）に対し、別の画像を合成してから分割して加工するといったことをしてもよい。
【００５８】
次に図７（Ｃ）において、アイコン化したい第２の画像を選択し、サブウインドウ７０７においてアイコン化を選択する。そして図７（Ｄ）に示すように、第２の画像７０６はアイコン化され、アイコンとして画像編集ウインドウ内において表示される。
【００５９】
なお、第２の画像のアイコンは、画像データの量によって、アイコンの大きさが設定されていてもよい。たとえば、より高精細な描写の画像においては、通常のアイコンサイズより大きく設定し、また、合成する画像によっては、予めユーザーの設定によりアイコンのサイズを設定していてもよい。高精細な画像を大きなサイズのアイコンとしてアイコン化することで、視認性がよく、またアイコン化前の画像がどのような画像かが一目で判断できるため好適である。
【００６０】
次に図７（Ｅ）のように、マウスカーソル７０２でアイコン７０８を選択し、図７（ｆ）に示すようにアイコンを保存するため、ファイル名を入力するサブウインドウ７０９を表示させる。
【００６１】
本実施の形態のように２次元図形（オブジェクト）を分割した画像をアイコン化することによって、ユーザー（操作者）は再度同じ画像データを読み出して選択する必要がない。ユーザーはアイコンを選択することによって、画像を画像編集ウインドウ内に表示させ、画像の編集を行うことができる。
【００６２】
また本実施の形態のように画像をアイコン化することは、画像編集ウインドウ内において画像を複数展開して画像編集を行う際に特に有用である。またアイコン化することによって視認性がよい。また画像編集ウインドウ内において、画像の表示にとられるスペースを少なくして、画像編集等の作業の効率化が見込める。
【００６３】
なお、本実施の形態においては、アイコンを選択するための手段としてマウスカーソル、マウスカーソルを操作するための手段としてマウスを例示したが、本発明はこれに限定されない。本実施の形態においてアイコンを選択するための手段であるマウスカーソルを単にカーソルと呼称し、カーソルを操作するための手段としてキーボード、コントローラや他のカーソル操作手段であってもよい。またはＰＤＡなどの個人情報端末においては、ペンタブレット方式により、アイコンを選択するものであってもよい。
【００６４】
また、画像編集ウインドウ内で画像の編集に用いる画像を画像編集ウインドウ内に複数アイコン化してもよい。複数の画像がアイコン化され、ユーザーが画像編集の際に画像編集に用いる画像データを適宜状況によって選択することによって、画像編集における作業時間を短縮することができ、好適である。
【００６５】
また、本発明のアイコンは、画像編集ウインドウ内において、ユーザーが指定した任意の場所にアイコン化して表示されているものであってもよい。また、自動的に画像編集ウインドウ内の一部にアイコン化されるものであってもよい。
【００６６】
また、アイコンの形状は、本実施の形態に例示した形状に限らないことを付記する。
【００６７】
また本発明は画像の他にアイコン化と同時に合成する画像データのファイル名を文字データとして入力し、アイコンの一部に表示していてもよい。アイコン化と同時に画像データのファイル名を同時に表示することによって、類似する画像の誤認を防止することができ好適である。
【００６８】
また、本発明の合成するため画像のアイコンは、画像を縮小したものであればよい。画像を縮小したアイコンを用いることによって、ユーザーが画像を編集する際に画像を誤認することなく、画像の編集を行うことができる。画像の縮小については、画像データのサンプリング周波数を小さくしてサンプリングを行えばよい。つまり表示する画像の画素を間引いて表示を行えばよい。例えばアイコン化により、１／ｎに縮小して画像を表示する場合縮小画像が表示される画素の画像データは縮小画像以外の画像が表示される画素の画像データと同じ速度で記憶部より読み出され、縮小画像が表示される画素の画像データのみを駆動回路にてｎ画素毎にサンプリングして表示を行えばよい。また、表示される画像データに基づいてアイコンの画像をコンピュータに記憶させておいても良い。
【００６９】
また、本発明の画像編集方法において、第１の画像及び第２の画像は動画情報を含むものであってもよい。また文字情報を含んでいてもよい。
【００７０】
図８に本発明の画像編集方法のフローチャート図を示す。図８のステップＳ８０１で、画像編集ウインドウ内に表示された画像の分割を行う（図７（Ａ）、図７（Ｂ）参照）。図８のステップＳ８０２で、アイコン化したい画像を選択し、表示されたサブウインドウにおいて「アイコン化」のコマンドを選択する（図７（Ｃ）参照）。図８のステップＳ８０３で、画像編集ウインドウ内に画像をアイコン化したアイコンを表示させる。図８のステップＳ８０４で、画像編集ウインドウ内に表示されたアイコンを選択する（図７（Ｄ）、図７（Ｅ）参照）。そして図８のステップＳ８０５で、画像編集ウインドウ内に表示されたアイコンを選択してアイコンを保存する（図７（Ｆ）参照）。
【００７１】
さらに、画像を再度分割しアイコン化を行う際には、画像編集ウインドウ内に表示された第１の画像やそのほかの画像を選択して、画像のアイコン化を行うことができる。もちろん、この間に別の画像を画像編集ウインドウ内で編集を行う場合においては、画像編集ウインドウ内に表示された別のアイコンを選択して画像の編集を行うこともできる。
【００７２】
本発明の画像編集方法は特に複数の編集するための画像を画像編集ウインドウ上にアイコン化して表示し、複数のアイコンから編集するための画像に対応するアイコンを選択することによって編集する画像データを読み出す際に特に有用である。アイコンを視認することによって、類似のフォルダ名の誤認を防ぎ、作業ミスの低減を図ることができる。
【００７３】
また本実施の形態は、上記実施の形態のいかなる記載とも自由に組み合わせて実施することが可能であることを付記する。
【図面の簡単な説明】
【００７４】
【図１】本発明の構成図。
【図２】本発明の画像編集方法の説明図。
【図３】本発明のフローチャート図。
【図４】従来の構成図。
【図５】従来の画像編集方法の説明図。
【図６】従来のフローチャート図。
【図７】実施の形態２の画像編集方法の説明図。
【図８】実施の形態２のフローチャート図。
【符号の説明】
【００７５】
１０１  表示筐体
１０２  コンピュータ
１０３  キーボード
１０４  マウス
１０５  表示部
１０６  画像編集ウインドウ
１０７  マウスカーソル
１０８  ２次元図形
１０９  ツールバー
１１０  記憶部
２０１  画像編集ウインドウ
２０２  マウスカーソル
２０３  ２次元図形
２０４  ツールバー
２０５  コマンドウインドウ
２０６  サブウインドウ
２０７  第２の画像のアイコン
４０１  表示筐体
４０２  コンピュータ
４０３  キーボード
４０４  マウス
４０５  表示部
４０６  画像編集ウインドウ
４０７  マウスカーソル
４０８  ２次元図形
４０９  ツールバー
４１０  記憶部
５０１  画像編集ウインドウ
５０２  マウスカーソル
５０３  ２次元図形
５０４  ツールバー
５０５  サブウインドウ
７０１  画像編集ウインドウ
７０２  マウスカーソル
７０３  ２次元図形
７０４  ツールバー
７０５  第１の画像
７０６  第２の画像
７０７  サブウインドウ
７０８  アイコン
７０９  サブウインドウ
Ｓ３０１  ステップ
Ｓ３０２  ステップ
Ｓ３０３  ステップ
Ｓ３０４  ステップ
Ｓ３０５  ステップ
Ｓ３０６  ステップ
Ｓ６０１  ステップ
Ｓ６０２  ステップ
Ｓ６０３  ステップ
Ｓ６０４  ステップ
Ｓ８０１  ステップ
Ｓ８０２  ステップ
Ｓ８０３  ステップ
Ｓ８０４  ステップ
Ｓ８０５  ステップ
【図１】
2006331400.tif 000003
【図２】
2006331400.tif 000004
【図３】
2006331400.tif 000005
【図４】
2006331400.tif 000006
【図５】
2006331400.tif 000007
【図６】
2006331400.tif 000008
【図７】
2006331400.tif 000009
【図８】
2006331400.tif 000010